【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】    【請求項１】物体側より順に、負の屈折力を有する第１レンズ群と正の屈折力を有する第２レンズ群と正の屈折力を有する第３レンズ群よりなり、無限遠物点合焦時に広角端から望遠端への変倍を、前記第２レンズ群の物体側のみへの移動と、前記第３レンズ群の前記第２レンズ群とは異なる量の移動により行うズームレンズにおいて、第２レンズ群が、物体側から順に、正レンズ・負レンズの順の接合レンズ及び正屈折力の単レンズで構成され、以下の条件式を満足することを特徴とするズームレンズ。    （１）    −１．０＜（Ｒ24＋Ｒ25）／（Ｒ24−Ｒ25）＜０．６ただし、Ｒ24、Ｒ25はそれぞれ第２レンズ群の最も像側の正屈折力の単レンズの物体側の面及び像側の面の光軸上での曲率半径である。    【請求項２】以下の条件を満足することを特徴とする請求項１記載のズームレンズ。    （２）    ５＜（Ｒ21＋Ｒ23）／（Ｒ21−Ｒ23）＜６０ただし、Ｒ21、Ｒ23はそれぞれ第２レンズ群の接合レンズの最も物体側の面と最も像側の面の光軸上での曲率半径である。    【請求項３】以下の条件を満足することを特徴とする請求項１又は２記載のズームレンズ。    （３）    ０．１＜ｆ23  ／ｆ30＜１．２    （４）    ０．０１＜ｄ23×Ｒ23／ｔ2 2 ＜０．５ただし、ｆ23とｆ30はそれぞれ第２レンズ群の像側の正屈折力の単レンズと第３レンズ群の焦点距離、ｄ23は第２レンズ群の接合レンズの像側面と正レンズの物体側面との間隔、Ｒ23は第２レンズ群の接合レンズの像側面の光軸上での曲率半径、ｔ2 は第２レンズ群の最も物体側の面から最も像側の面までの距離である。    【請求項４】以下の条件を満足することを特徴とする請求項１から３の何れか１項記載のズームレンズ。    （５）    ０．２＜Ｒ22／ｆce＜２ただし、Ｒ22は第２レンズ群の接合レンズの接合面の曲率半径、ｆceは第２レンズ群の接合レンズの焦点距離である。    【請求項５】広角端から望遠端に変倍する際、第３レンズ群は像側に凸の軌跡で動くことを特徴とする請求項１から４の何れか１項記載のズームレンズ。    【請求項６】前記第３レンズ群を移動することによりフォーカシングを行うことを特徴とする請求項１から５の何れか１項記載のズームレンズ。    【請求項７】前記第２レンズ群と一体で移動する絞りを有することを特徴とする請求項１から６の何れか１項記載のズームレンズ。    【請求項８】前記第２群の最も物体側のレンズ面は、非球面であることを特徴とする請求項１から７の何れか１項記載のズームレンズ。    【請求項９】条件（１）に代えて以下の条件（１’）を満足することを特徴とする請求項１から８の何れか１項記載のズームレンズ。    （１’）  −０．７＜（Ｒ24＋Ｒ25）／（Ｒ24−Ｒ25）＜０．３４    【請求項１０】前記第１レンズ群は非球面を１面のみ有し、前記第２レンズ群は非球面を１面のみ有し、前記第３レンズ群は球面レンズのみからなることを特徴とする請求項１から９の何れか１項記載のズームレンズ。    【請求項１１】条件（２）に代えて以下の条件（２’）を満足することを特徴とする請求項２記載のズームレンズ。    （２’）  ７＜（Ｒ21＋Ｒ23）／（Ｒ21−Ｒ23）＜６０    【請求項１２】条件（３）に代えて以下の条件（３’）を満足することを特徴とする請求項３記載のズームレンズ。    （３’）  ０．１５＜ｆ23  ／ｆ30＜１．０    【請求項１３】条件（４）に代えて以下の条件（４’）を満足することを特徴とする請求項３記載のズームレンズ。    （４’）  ０．０５＜ｄ23×Ｒ23／ｔ2 2 ＜０．３    【請求項１４】条件（５）に代えて以下の条件（５’）を満足することを特徴とする請求項４記載のズームレンズ。    （５’）  ０．３＜Ｒ22／ｆce＜１．６    【請求項１５】以下の条件（ａ）を満足することを特徴とする請求項１から１４の何れか１項記載のズームレンズ。    （ａ）    ０．０＜ｆ2 ／ｆ23＜１．３ただし、ｆ2 は第２レンズ群全体の合成焦点距離、ｆ23は第２レンズ群の像側の正屈折力の単レンズの単体焦点距離である。    【請求項１６】以下の条件（ｂ）を満足することを特徴とする請求項１から１５の何れか１項記載のズームレンズ。    （ｂ）    ０．０４＜ｔ2N／ｔ2 ＜０．２ただし、ｔ2Nは第２レンズ群の接合レンズの物体側正レンズの像側の面から第２群の負レンズの像側の面までの光軸上の距離、ｔ2 は第２レンズ群の最も物体側の面から最も像側の面までの距離である。    【請求項１７】ズーム比が２．３倍以上であり、以下の条件（ｄ）、（ｅ）を満足することを特徴とする請求項１から１６の何れか１項記載のズームレンズ。    （ｄ）    １．２＜−β2t＜２．０    （ｅ）    １．６＜ｆ2 ／ｆW ＜３．０ただし、β2tは第２レンズ群の無限遠物点合焦時の望遠端における倍率、ｆ2 は第２レンズ群の焦点距離、ｆW はズームレンズ全系の無限遠物点合焦時の広角端における焦点距離である。    【請求項１８】前記第１レンズ群が、物体側から順に、２枚以下の負レンズで構成される負レンズ群と１枚の正屈折力の単レンズからなる正レンズ群よりなり、前記負レンズ群は非球面を含むことを特徴とする請求項１から１７の何れか１項記載のズームレンズ又は撮像装置。    【請求項１９】前記第１レンズ群が以下の条件（ｆ）、（ｇ）を満足することを特徴とする請求項１８記載のズームレンズ。    （ｆ）    −０．０３＜ｆW ／Ｒ11＜０．４    （ｇ）    ０．１５＜ｄNP／ｆW ＜１．０ただし、Ｒ11は第１レンズ群の物体側から１番目のレンズ面の光軸上での曲率半径、ｄNPは第１レンズの負レンズ群と正レンズ群の光軸上での空気間隔、ｆW はズームレンズ全系の無限遠物点合焦時の広角端における焦点距離である。    【請求項２０】前記第１レンズ群が、物体側から順に、物体側に凸面を向けた２枚の負メニスカスレンズと１枚の正屈折力の単レンズからなり、該２枚の負メニスカスレンズの空気間隔に面した何れか一方の面が非球面であることを特徴とする請求項１から１７の何れか１項記載のズームレンズ。    【請求項２１】前記第１レンズ群が以下の条件（ｈ）、（ｉ）を満足することを特徴とする請求項２０記載のズームレンズ。    （ｈ）    ０．４＜Ｒ12／Ｒ13＜１．３    （ｉ）    ０．０２＜ｄNN／ｆW ＜０．２５ただし、Ｒ12は第１レンズ群の物体側の負メニスカスレンズの像側のレンズ面の光軸上での曲率半径、Ｒ13は第１レンズ群の物体側から２番目の負メニスカスレンズの物体側のレンズ面の光軸上での曲率半径、ｄNNは２枚の負メニスカスレンズの空気間隔の光軸に沿った量、ｆW はズームレンズ全系の無限遠物点合焦時の広角端における焦点距離である。    【請求項２２】前記第１レンズ群が、物体側から順に、物体側に凸面を向けた１枚の負メニスカスレンズと１枚の正屈折力の単レンズからなり、以下の条件（ｊ）、（ｋ）を満足することを特徴とする請求項１から１７の何れか１項記載のズームレンズ。    （ｊ）    −５．０＜（Ｒ1P1 ＋Ｒ1P2 ）／（Ｒ1P1 −Ｒ1P2 ）＜−１．３    （ｋ）    １．７＜ｎd1N ＜１．９５ただし、Ｒ1P1 とＲ1P2 はそれぞれ第１レンズ群の正屈折力の単レンズの物体側と像側のレンズ面の光軸上での曲率半径、ｎd1N は第１レンズ群の負メニスカスレンズの媒質の屈折率である。    【請求項２３】前記第１レンズ群が、物体側から順に、以下の条件（ｌ）を満足する弱い屈折力の単レンズと、１枚の負の単レンズと、１枚の正の単レンズからなることを特徴とする請求項１から１７の何れか１項記載のズームレンズ。    （ｌ）    −０．２＜ｆW ／ｆ1*＜０．３ただし、ｆ1*は第１レンズ群の弱い屈折力の単レンズの焦点距離、ｆW はズームレンズ全系の無限遠物点合焦時の広角端における焦点距離である。    【請求項２４】前記第３レンズ群が以下の条件（ｍ）を満足する形状の正の単レンズのみで構成され、かつ、前記正の単レンズは両面が球面であることを特徴とする請求項１から２３の何れか１項記載のズームレンズ。    （ｍ）    −１＜（Ｒ31＋Ｒ32）／（Ｒ31−Ｒ32）＜１ただし、Ｒ31とＲ32はそれぞれ第３レンズ群の正の単レンズの物体側と像側のレンズ面の光軸上での曲率半径である。    【請求項２５】請求項１から２４の何れか１項記載のズームレンズと、その像側に配された撮像素子とを有することを特徴とする撮像装置。    【請求項２６】前記ズームレンズが以下の条件（ｃ）を満足することを特徴とする請求項２５記載の撮像装置。    （ｃ）    ０．５＜ｔ2 ／Ｌ＜１．２ただし、ｔ2 は第２レンズ群の最も物体側の面から最も像側の面までの距離、Ｌは撮像素子の有効撮像領域の対角長である。    【請求項２７】前記ズームレンズが以下の条件（ｎ）、（ｏ）を満足することを特徴とする請求項２５又は２６記載の撮像装置。    （ｎ）    ０．５＜ｔ2 ／ｔ1 ＜１．５    （ｏ）    ０．４＜ｔ1 ／Ｌ＜１．３ただし、ｔ1 は第１レンズ群の最も物体側のレンズ面から最も像側のレンズ面までの光軸上での厚み、ｔ2 は第２レンズ群の接合レンズの物体側のレンズ面から最も像側の正レンズの像側レンズ面までの光軸上での厚み、Ｌは撮像素子の有効撮像領域の対角長である。